(57)【要約】【課題】メールアドレスは、唯一固有の情報として存在しており、その唯一固有のメールアドレスに対応した有効な情報処理が成されていない。また、メールアドレスは、アカウント名、アットマーク、ドメイン名としてそのアドレスは構成されており、各構成に対応する、連携した有効な情報処理利用がされていない。【解決手段】メールアドレスの構成用件である、アカウント名やアットマーク及びドメイン名の各相互関係に対応付けて処理したデフォルトメールアドレスの情報処理手段を設け、それに関連付けされた各々の個別データ情報処理としてアカウント名情報処理手段やアットマーク名情報処理手段及びドメイン名情報処理手段が任意に関連付けされる固有情報とのデータベースとのリレーションをすることにより、唯一固有のメールアドレスを用いた色々な情報処理手段に適用させる。【選択図】　図３
2004054648.tif 000002
【特許請求の範囲】
【請求項１】
メールアドレスのアカウント名、アットマーク及びドメイン名の相互関係をデフォルトメールアドレスとして情報管理するデフォルトデータ処理手段において、
アカウント名と固有情報とが関連付けされた情報管理をするアカウント名データベースと、前記アカウント名に固有情報処理を要求する入力データにより、前記アカウント名データベースに基づく前記固有情報処理に対応して実施処理をする固有情報実施処理手段と、を具備することを特徴とするメールアドレスを用いたデータ処理システム。
【請求項２】
メールアドレスのアカウント名、アットマーク及びドメイン名の相互関係をデフォルトメールアドレスとして情報管理するデフォルトデータ処理手段において、
ドメイン名と固有情報とが関連付けされた情報管理をするドメイン名データベースと、前記ドメイン名に固有情報処理を要求する入力データにより、前記ドメイン名データベースに基づく前記固有情報処理に対応して実施処理をする固有情報実施処理手段と、を具備することを特徴とするメールアドレスを用いたデータ処理システム。
【請求項３】
メールアドレスのアカウント名、アットマーク及びドメイン名の相互関係をデフォルトメールアドレスとして情報管理するデフォルトデータ処理手段において、
アカウント名並びにアットマークと固有情報とが関連付けされた情報管理をするアットマーク名データベースと、前記アカウント名並びにアットマークに固有情報処理を要求する入力データにより、前記アットマーク名データベースに基づく前記固有情報処理に対応して実施処理をする固有情報実施処理手段と、を具備することを特徴とするメールアドレスを用いたデータ処理システム。
【請求項４】
メールアドレスのアカウント名、アットマーク及びドメイン名の相互関係をデフォルトメールアドレスとして情報管理するデフォルトデータ処理手段において、
アットマーク並びにドメイン名と固有情報とが関連付けされた情報管理をするアットマーク付きドメイン名データベースと、前記アットマーク並びにドメイン名に固有情報処理を要求する入力データにより前記アットマーク付きドメイン名データベースに基づく前記固有情報処理に対応して実施処理をする固有情報実施処理手段と、を具備することを特徴とするメールアドレスを用いたデータ処理システム。
【請求項５】
請求項１乃至請求項２の記載において、
検索処理を要求する固有情報の入力データ処理により、該固有情報に関連付けされたアカウント名データベース乃至ドメイン名データベースに該入力データ処理との検索を判定する判定処理手段と、該判定処理手段に基づく検索結果に対応する情報を表示乃至固有情報による実施処理手段と、を具備することを特徴とするメールアドレスを用いたデータ処理システム。
【請求項６】
請求項１乃至請求項５の記載において、
検索処理を要求する固有情報の入力データ処理により、該固有情報に関連付けされたデフォルト名データベースに該入力データ処理との検索を判定する判定処理手段と、該判定処理手段に基づく検索結果に対応する情報を表示乃至固有情報による実施処理手段と、を具備することを特徴とするメールアドレスを用いたデータ処理システム。
【請求項７】
請求項１乃至請求項４の記載において、
アカウント名データベース、乃至ドメイン名データベース、乃至アットマーク名データベース、乃至アットマーク付きドメイン名データベースに対応している固有情報について、デフォルトメールアドレスを生成する情報処理手段と、該デフォルトメールアドレスを送信する時、自分自身の前記デフォルトメールアドレスに対応している前記固有情報のデータを自動付加して送信する送信手段と、を具備することを特徴とするメールアドレスを用いたデータ処理システム。
【請求項８】
請求項１において、
アカウント名に識別情報を付加した付加アカウント名と固有情報とが関連付けされた情報管理をする付加アカウント名データベースと、前記アカウント名の固有情報処理を要求する入力データにより、前記付加アカウント名データベースに基づく前記固有情報処理に対応して実施処理をする固有情報実施処理手段と、を具備することを特徴とするメールアドレスを用いたデータ処理システム。
【請求項９】
請求項１乃至請求項８において、
アットマークに識別情報を関連付けされる情報管理をする識別アットマークデータベースと、前記アットマークに固有情報処理を要求する入力データにより、前記識別アットマークデータベースに基づく前記固有情報処理に対応して実施処理をする固有情報実施処理手段と、を具備することを特徴とするメールアドレスを用いたデータ処理システム。
【発明の詳細な説明】
【０００１】
【発明が属する技術分野】
本発明は、メールアドレズを用いたデータ処理システムに関するものである。
【０００２】
【従来の技術】
従来、メールアドレスを用いた情報処理手段は、メールアドレスに対応する固有情報、例えば、アクセス識別情報に対応するユーザメールアドレス、ＩＤやパスワードに対応するメールアドレスなどの利用や情報処理があった。
【０００３】
また、電子電話帳データにメールアドレス乃至ドメイン名に対応する電話番号がデータベースに格納されており、メールアドレスを指定してそれに対応する電話番号を問い合わせる手段などがあった。
【０００４】
【発明が解決しようとする課題】
しかし、メールアドレスは、唯一固有の情報として存在しており、その唯一固有のメールアドレスに対応した有効な情報処理が成されていない。
また、メールアドレスは、アカウント名、アットマーク、ドメイン名としてそのアドレスは構成されており、各構成に対応する、連携した有効な情報処理利用がされていない。
【０００５】
【課題を解決するための手段】
上記課題を解決するために、本発明は、メールアドレスの構成用件である、アカウント名やアットマーク及びドメイン名を構成する相互関係に対応付けて処理したデフォルトメールアドレスのデータベース手段を設け、それに関連付けされたアカウント名データベースやアットマーク名データベース及びドメイン名データベースなどが任意に関連付けされた固有情報のデータベースとしてのリレーションをすることにより、唯一固有のメールアドレスを用いた色々な情報処理手段に適用させる。
【０００６】
次に、メールアドレスの構成用件であるアカウント名やアットマーク及びドメイン名の各個別データと固有情報との情報処理手段を説明する。
先ず、アカウント名データベースは、ドメイン名に対応する唯一の固有情報である。これは、ドメイン名に対応するものであるから、その情報処理は、
ドメイン名の固有情報に付帯するリレーション情報として処理している。
【０００７】
また、ドメイン名データベースは、メールアドレスに対応するメイン識別の唯一固有情報である。これは、個別メールアドレスの母体情報と言えるもので、アカウント名は、このドメイン名に対応して固有情報処理するものである。更に、ドメイン名は、その固有情報の組織形態やウエブ情報処理に欠かせないＩＰアドレスにも対応しているものである。
【０００８】
更に、アカウント名並びにアットマークやアットマーク並びにドメイン名との固有情報処理は、多くの固有情報を関連付けさせることができるデフォルトメールアドレスとして対応させるものである。
【０００９】
更に、アカウント名に識別情報を付加した付加アカウント名と固有情報が関連付けされた固有情報を管理する付加アカウント名データベースは、デフォルトメールアドレスに対応して、識別情報を付加したアカウント名がメールアドレスとし、送受信しても機能させるメーラーを用いるものである
【００１０】
また、アットマークに識別情報を関連付けされる情報管理をする識別アットマークデータベースは、デフォルトメールアドレスのアットマークに対応しており、デフォルトメールアドレスのアットマークに識別情報処理を要求する入力データにより、識別アットマークデータベースに基づく識別情報処理に対応して実施処理をするものである。
【００１１】
【実施例】
この発明は、色々な実施形態で実現できるが、本発明の代表的な実施形態について詳しく説明する。以下、添付図面を参照して説明する。
図１は本発明に関わるデフォルトメールアドレスの基本構成を示す図。
図２は本発明に関わるアカウント名、アットマーク、ドメイン名に対応するデフォルトデータベースの一実施例における構成を示す図。
図３は、本発明に関わるアカウント名、アットマーク、ドメイン名や各々相互の構成に対応する本発明の一実施例におけるデータベースのリレーション構成を示す図。
図４は、本発明に関わるアカウント名、アットマーク、ドメイン名や各々相互の構成に対応する検索データ処理の一実施例におけるデータベースのリレーション構成を示す図。
【００１２】
請求項１記載の本発明による１実施例は、図１及び図２によれば、アカウント名２は、デフォルトメールアドレス１のドメイン名４に対応する固有情報としてそのデフォルトメールアドレス１として構成されている。
【００１３】
更に、図３によれば、アカウント名２に対応している固有情報は、アカウント名データベース５として、アカウント名２に対するデータ管理ファイルであり、入出力や登録編集データ及び検索データベースである。
【００１４】
次に、請求項２記載による１実施例は、図１、図２及び図３によれば、ドメイン名表示は、メールアドレスに対応するメイン識別の唯一固有情報である。これは、個別メールアドレスの母体情報と言えるもので、ドメイン名は、その固有情報の組織形態やウエブ情報処理に欠かせないＩＰアドレスにも対応しているものであり、ドメイン名４に対応している固有情報は、ドメイン名データベース７として、ドメイン名４に対するデータ管理ファイルであり、入出力や登録編集データ及び検索データベースである。
【００１５】
また、請求項３記載乃至請求項４記載による１実施例は、図２、図３及び図４によれば、各アカウント名或いはドメイン名とアットマークとの組み合わせに対応している固有情報は、アットマーク名データベース８或いはアットマーク付きドメイン名データベース９としてのデータ管理ファイルであり、データの入出力や登録編集及び検索データベースである。
【００１６】
次に、請求項５記載乃至請求項６記載による１実施例は、図２、図３及び図４によれば、検索入力データ処理１１により、デフォルト名データベース１０やアカウント名データベース５乃至ドメイン名データベース７ｏ及びアットマーク名データベース８或いはアットマーク付きドメイン名データベース９に前記検索入力データ処理との検索を判定する判定処理手段と、その判定処理手段に基づく検索結果に対応する情報を表示乃至各データベースによる実施処理をする。
【００１７】
また、請求項７記載による１実施例は、図２、図３及び図４によれば、アカウント名データベース５、乃至ドメイン名データベース７、乃至アットマーク名データベース８、乃至アットマーク付きドメイン名データベース９に対応している固有情報について、デフォルトメールアドレス１を生成する情報処理手段と、デフォルトメールアドレス１を送信する時、自分自身の固有情報をデフォルトメールアドレス１に対応している前記固有情報のデータを自動付加して、メーラーソフトなどで送信するものである。
【００１８】
【発明の効果】
本発明によるメールアドレスを用いたデータ処理システムは、唯一固有情報としてのメールアドレズに対して、色々な固有情報との関連付けにより、デフォルトメールアドレスのデータベースとしての利便性を図るものであり、次の効果が達せられる。
【００１９】
本発明は、色々な固有情報との関連付けされたデフォルトメールアドレス名のデータベースへの情報処理により、デフォルトメールアドレスの記載のみにより、任意な固有情報との検索や情報表示若しくは、
そのデータ処理手段により、ホームページへの直接リンクによる開示など利便性と管理性にすぐれたデータ処理システムを提供できる。
【図面の簡単な説明】
【図１】本発明のデフォルトメールアドレスの構成表示面。
【図２】デフォルトメールアドレスに対応するデータベース表示図。
【図３】デフォルトデータベースに対応するデータベース表示図。
【図４】検索入力データ処理の表示図。
【符号の説明】
１　：　デフォルトメールアドレス
２　：　アカウント名
３　：　アットマーク
４　：　ドメイン名
５　：　アカウント名データベース
６　：　アットマークデータベース
７　：　ドメイン名データベース
８　：　アットマーク名データベース
９　　：　アットマーク付きドメイン名データベース
１０　：　デフォルトデータベース
１１　：　検索入力データ処理
１２　：　付加アカウント名データベース
【図１】
2004054648.tif 000003
【図２】
2004054648.tif 000004
【図３】
2004054648.tif 000005
【図４】
2004054648.tif 000006